(57)【要約】【課題】同一周波数で異なる変調度の放送を行っている場合でも、適した通過帯域幅をフィルタに設定できるフィルタ制御装置を提供する。【課題手段】本発明に係るフィルタ制御装置は、受信した電波を周波数変換した信号をフィルタリングするフィルタの通過帯域幅を制御するフィルタ制御装置であって、前記電波の受信位置の国を特定する国特定手段と、前記国特定手段が特定した前記国に応じて前記フィルタの通過帯域幅を制御する通過帯域幅制御手段と、を有することを特徴とする。【選択図】図２
2010136307.tif 000002
【特許請求の範囲】
【請求項１】
受信した電波を周波数変換した信号をフィルタリングするフィルタの通過帯域幅を制御するフィルタ制御装置であって、
前記電波の受信位置の国を特定する国特定手段と、
前記国特定手段が特定した前記国に応じて前記フィルタの通過帯域幅を制御する通過帯域幅制御手段と、を有することを特徴とするフィルタ制御装置。
【請求項２】
前記通過帯域幅制御手段は、さらに、前記受信位置における電界強度に応じて前記フィルタの通過帯域幅を制御することを特徴とする請求項１に記載のフィルタ制御装置。
【請求項３】
前記フィルタ制御装置は、予め設定された複数の通過帯域幅の中から所定基準を満たす一の通過帯域幅を選択し、選択した前記通過帯域幅を前記フィルタに設定することで前記フィルタの通過帯域幅を制御し、
前記通過帯域幅制御手段は、国と前記複数の通過帯域幅の中で選択可能な通過帯域幅とを対応付けたデータを参照し、前記国特定手段が特定した前記国に対応する前記選択可能な通過帯域幅を特定し、特定した前記選択可能な通過帯域幅の中から前記所定基準を満たす一の通過帯域幅を選択し、選択した前記通過帯域幅を前記フィルタに設定することで前記フィルタの通過帯域幅を制御することを特徴とする請求項１に記載のフィルタ制御装置。
【請求項４】
前記通過帯域幅制御手段は、さらに、前記受信位置の電界強度が所定基準を満たさない場合の前記選択可能な通過帯域幅のデータを参照して、前記選択可能な通過帯域幅を特定することを特徴とする請求項３に記載のフィルタ制御装置。
【請求項５】
前記国特定手段は、前記受信位置の国を、前記フィルタがフィルタリングした信号に含まれるデータにより特定することを特徴とする請求項１乃至４のいずれか１項に記載のフィルタ制御装置。
【請求項６】
前記国特定手段は、前記受信位置の国を、グローバル・ポジショニング・システムで特定した位置データにより特定することを特徴とする請求項１乃至４のいずれか１項に記載のフィルタ制御装置。
【請求項７】
前記フィルタは、中間周波数フィルタにより構成されることを特徴とする請求項１乃至６のいずれか１項に記載のフィルタ制御装置。
【請求項８】
前記電波を周波数変換する周波数変換手段と、
前記周波数変換手段が周波数変換した信号をデジタル信号に変換するアナログ・デジタル変換手段と、
前記アナログ・デジタル変換手段が変換した前記デジタル信号をフィルタリングする前記フィルタと、
前記フィルタがフィルタリングした信号を復調する復調手段と、
前記復調手段が復調した信号を音声デジタル信号に変換する音声変換手段と、
前記音声変換手段が変換した音声デジタル信号をアナログ音声信号に変換するデジタル・アナログ変換手段と、をさらに備えることを特徴とする請求項１乃至７のいずれか１項に記載のフィルタ制御装置。
【請求項９】
前記電波を受信するアンテナをさらに備えることを特徴とする請求項１乃至８のいずれか１項に記載のフィルタ制御装置。
【請求項１０】
前記アナログ・デジタル変換手段が変換した前記アナログ音声信号を音声出力するスピーカをさらに備えることを特徴とする請求項１乃至９のいずれか１項に記載のフィルタ制御装置。
【請求項１１】
受信した電波を周波数変換した信号をフィルタリングするフィルタの通過帯域幅を制御するフィルタ制御方法であって、
前記電波の受信位置の国を特定する国特定ステップと、
前記国特定ステップで特定した前記国に応じて前記フィルタの通過帯域幅を制御する通過帯域幅制御ステップと、を有することを特徴とするフィルタ制御方法。
【請求項１２】
受信した電波を周波数変換した信号をフィルタリングするフィルタの通過帯域幅を制御するフィルタ制御方法をコンピュータに実行させるフィルタ制御プログラムであって、
前記電波の受信位置の国を特定する国特定ステップと、
前記国特定ステップで特定した前記国に応じて前記フィルタの通過帯域幅を制御する通過帯域幅制御ステップと、を前記コンピュータに実行させることを特徴とするフィルタ制御プログラム。
【発明の詳細な説明】
【技術分野】
【０００１】
本発明は、受信した電波を周波数変換した信号をフィルタリングするフィルタの通過帯域幅を制御するフィルタ制御装置、フィルタ制御方法、及びフィルタ制御プログラムに関する。
【背景技術】
【０００２】
この種の技術として、特許文献１には、受信周波数に対応するデータと、その受信周波数に対する受信モードのデータと、その受信周波数に対する帯域幅のデータとを組としたデータテーブルを有し、受信周波数を設定するとき、あるいは設定したとき、上記データテーブルを参照し、上記設定する、あるいは設定した受信周波数と組になっている上記受信モードのデータ及び上記帯域幅のデータを、上記データテーブルから取り出し、この取り出した上記受信モードのデータ及び上記帯域幅のデータにしたがって、受信モード及び帯域幅を設定するようにしたスーパーヘテロダイン受信機が開示されている。
【０００３】
また、特許文献２には、受信可能な周波数範囲にわたり複数種類の局間周波数毎に受信周波数を掃引して、夫々の局間周波数に対応した受信局を検出し、該受信局の有無によってその受信エリア内での局間周波数を自動設定する受信装置において、複数の中間周波数帯域フィルタと、上記局間周波数に対応する放送波規格モデルの記憶データをもとに放送波モデルを特定するモデル特定手段と、この特定したモデルに従って複数の中間周波数帯域フィルタの１つを選択するフィルタ選択回路とを設けたことを特徴とする受信装置が開示されている。
【０００４】
また、特許文献３には、ＦＭ信号が入力される、帯域幅を可変可能な中間処理フィルタと、この中間処理フィルタからのＦＭ信号の振幅を増幅し、前記ＦＭ信号を矩形波とする中間周波数リミッタアンプと、この中間周波数リミッタアンプからのＦＭ信号をＦＭ検波するＦＭ検波器と、このＦＭ検波器から出力されたＦＭ検波出力より、前記ＦＭ検波出力の帯域における隣接妨害波のノイズのレベルと所定のレベルとのレベル差を生成する隣接妨害検出器と、前記中間周波数フィルタの出力端と前記ＦＭ検波器の入力端との間から供給されるＦＭ信号のレベルを検出する電界検出器と、この電界検出器で検出されたＦＭ信号の電界検出量と所定のレベルとのレベル差を生成する弱電界検出器と、前記隣接妨害検出器で生成されたレベル差及び前記弱電界検出器で生成されたレベル差が供給されるコントローラとを備え、前記コントローラは、前記隣接妨害検出器で生成されたレベル差及び前記弱電界検出器で生成されたレベル差に基づき、前記中間周波数フィルタの帯域幅を制御する制御信号を生成し、かつ前記制御信号に対し所定の時定数を備えたことを特徴とするＦＭチューナが開示されている。
【０００５】
【特許文献１】特開平５−１６０７５１号公報
【特許文献２】特開平７−３８３８５号公報
【特許文献３】特開２００４−３１２０７７号公報
【発明の開示】
【発明が解決しようとする課題】
【０００６】
しかし、欧州国境付近等では、近隣の国から個々に同一周波数で異なる変調度の放送を行っている場合があり、この場合に、上記特許文献１及び特許文献２に記載された技術では、受信した電波を変換した信号に対してフィルタリング処理を行うときに、所定の変調度に対する、適したＩＦフィルタの通過帯域幅を選択することができなかった。適した通過帯域幅を選択できないと、通過帯域幅を狭くしすぎてしまうことがあり、この場合には、歪み等が生じてしまう。
【０００７】
特許文献１に記載された技術では、受信周波数に対応するデータと、その受信周波数に対する受信モードのデータと、その受信周波数に対する帯域のデータとを組としたデータテーブルを参照しているので、上記のように同一周波数で異なる変調度の放送を行っている場合に適した通過帯域幅を選択できない。
【０００８】
また、特許文献２に記載された技術でも、局間周波数に対応する放送波規格モデルの記憶データを元に通過帯域幅を選択しているので、上記のように同一周波数で異なる変調度の放送を行っている場合に適した通過帯域幅を選択できない。
【０００９】
特許文献３に記載された技術では、希望局の近傍に隣接信号を検出すると、通過帯域幅を狭くするが、隣接信号が極めて大きい場合に、希望局の変調度に対して狭すぎる通過帯域幅を設定してしまう場合がある。この場合、隣接信号は除去できるものの、希望局の放送波についての歪みが悪化してしまい、ノイズ等が発生してしまうことがある。このため、特許文献３に記載された技術でも、上記のように同一周波数で異なる変調度の放送を行っている場合に適した通過帯域幅を選択できない。
【００１０】
本発明は、上記点に鑑みてなされたものであり、同一周波数で異なる変調度の放送を行っている場合でも、適した通過帯域幅をフィルタに設定できるフィルタ制御装置、フィルタ制御方法、及びフィルタ制御プログラムを提供することを目的とする。
【課題を解決するための手段】
【００１１】
本発明の第１の観点に係るフィルタ制御装置は、
受信した電波を周波数変換した信号をフィルタリングするフィルタの通過帯域幅を制御するフィルタ制御装置であって、
前記電波の受信位置の国を特定する国特定手段と、
前記国特定手段が特定した前記国に応じて前記フィルタの通過帯域幅を制御する通過帯域幅制御手段と、を有することを特徴とする。
【００１２】
また、前記通過帯域幅制御手段は、さらに、前記受信位置における電界強度に応じて前記フィルタの通過帯域幅を制御してもよい。
【００１３】
また、前記フィルタ制御装置は、予め設定された複数の通過帯域幅の中から所定基準を満たす一の通過帯域幅を選択し、選択した前記通過帯域幅を前記フィルタに設定することで前記フィルタの通過帯域幅を制御し、
前記通過帯域幅制御手段は、国と前記複数の通過帯域幅の中で選択可能な通過帯域幅とを対応付けたデータを参照し、前記国特定手段が特定した前記国に対応する前記選択可能な通過帯域幅を特定し、特定した前記選択可能な通過帯域幅の中から前記所定基準を満たす一の通過帯域幅を選択し、選択した前記通過帯域幅を前記フィルタに設定することで前記フィルタの通過帯域幅を制御してもよい。
【００１４】
また、前記通過帯域幅制御手段は、さらに、前記受信位置の電界強度が所定基準を満たさない場合の前記選択可能な通過帯域幅のデータを参照して、前記選択可能な通過帯域幅を特定してもよい。
【００１５】
また、前記国特定手段は、前記受信位置の国を、前記フィルタがフィルタリングした信号に含まれるデータにより特定してもよい。
【００１６】
また、前記国特定手段は、前記受信位置の国を、グローバル・ポジショニング・システムで特定した位置データにより特定してもよい。
【００１７】
また、前記フィルタは、中間周波数フィルタにより構成されてもよい。
【００１８】
また、前記フィルタ制御装置は、前記電波を周波数変換する周波数変換手段と、
前記周波数変換手段が周波数変換した信号をデジタル信号に変換するアナログ・デジタル変換手段と、
前記アナログ・デジタル変換手段が変換した前記デジタル信号をフィルタリングする前記フィルタと、
前記フィルタがフィルタリングした信号を復調する復調手段と、
前記復調手段が復調した信号を音声デジタル信号に変換する音声変換手段と、
前記音声変換手段が変換した音声デジタル信号をアナログ音声信号に変換するデジタル・アナログ変換手段と、をさらに備えてもよい。
【００１９】
また、前記フィルタ制御装置は、前記電波を受信するアンテナをさらに備えてもよい。
【００２０】
また、前記フィルタ制御装置は、前記アナログ・デジタル変換手段が変換した前記アナログ音声信号を音声出力するスピーカをさらに備えてもよい。
【００２１】
本発明の第２の観点に係るフィルタ制御方法は、
受信した電波を周波数変換した信号をフィルタリングするフィルタの通過帯域幅を制御するフィルタ制御方法であって、
前記電波の受信位置の国を特定する国特定ステップと、
前記国特定ステップで特定した前記国に応じて前記フィルタの通過帯域幅を制御する通過帯域幅制御ステップと、を有することを特徴とする。
【００２２】
本発明の第３の観点に係るフィルタ制御プログラムは、
受信した電波を周波数変換した信号をフィルタリングするフィルタの通過帯域幅を制御するフィルタ制御方法をコンピュータに実行させるフィルタ制御プログラムであって、
前記電波の受信位置の国を特定する国特定ステップと、
前記国特定ステップで特定した前記国に応じて前記フィルタの通過帯域幅を制御する通過帯域幅制御ステップと、を前記コンピュータに実行させることを特徴とする。
【発明の効果】
【００２３】
本発明に係るフィルタ制御装置、フィルタ制御方法、及びフィルタ制御プログラムによれば、同一周波数で異なる変調度の放送を行っている場合でも、適した通過帯域幅をフィルタに設定できる。
【発明を実施するための最良の形態】
【００２４】
本発明の実施形態について図面を参照して説明する。なお、本発明は下記の実施形態及び図面によって限定されるものではない。本発明の要旨を変更しない範囲で下記の実施形態及び図面に変更を加えることが出来るのはもちろんである。
【００２５】
なお、本発明において、「国」は、地域を含むと定義する。
【００２６】
本発明において、「ＲＤＳ」は、ラジオデータシステム（Ｒａｄｉｏ  Ｄａｔａ  Ｓｙｓｔｅｍ）の略であるが、この「ＲＤＳ」は、「ＲＤＢＳ」（ラジオ放送データ・システム）を適宜含む表現であると定義する。
【００２７】
（第一実施形態）
図１は、本発明の第一実施形態に係るＩＦフィルタ制御装置１のブロック図である。ＩＦフィルタ制御装置１は、例えばＦＭ受信機である。
【００２８】
ＩＦフィルタ制御装置１は、アンテナ３と、Ｆ／Ｅ部５と、Ａ／Ｄ７と、ＩＦフィルタ９と、ＦＭ復調器１１と、受信状況検出器１３と、ＲＤＳ復調器１５と、制御部１７と、ＦＭ処理部１９と、Ｄ／Ａ２１と、スピーカ２３と、入力部２５とを備える。ＩＦフィルタ制御装置１は、受信状況検出器１３により検出された受信状況（例えば、電界強度検出値、隣接信号検出値、及び変調度検出値からなる。）に応じて、予め設定された１番目（最小通過帯域幅）からｎ番目（最大通過帯域幅）の通過帯域幅を選択し、選択した通過帯域幅をＩＦフィルタ９に設定することができる公知の装置を利用して構成できる。
【００２９】
アンテナ３は、放送波等を含む信号（電波）を受信する。放送波は、ここではＦＭ放送波である。
【００３０】
Ｆ／Ｅ部５は、アンテナ３が受信した信号を中間周波数（ＩＦ：Intermediate Frequency）のＩＦ信号に変換する。例えば、Ｆ／Ｅ部５は、高周波増幅器と、周波数変換器と、中間周波増幅器と、を備える。アンテナ３が受信した信号は、高周波増幅器で増幅される。そして、増幅した信号を周波数変換器が所定の周波数帯の信号に変換する。さらに、周波数変換器によって変換された信号の中間周波を中間周波増幅器により増幅することにより、周波数変換器によって変換した信号をＩＦ信号に変換する。Ｆ／Ｅ部５は、電波を周波数変換する周波数変換部である。
【００３１】
Ａ／Ｄ７は、アナログ・デジタル変換器である。Ａ／Ｄ７は、Ｆ／Ｅ部５で変換したＩＦ信号を２値化したデジタル信号に変換する。このデジタル信号は、アンテナ３が受信した電波を周波数変換した信号の一例である。
【００３２】
ＩＦフィルタ９は、Ａ／Ｄ７が変換したデジタル信号から所定の周波数帯域の信号を取り出すためにフィルタリングする。ＩＦフィルタ９が取り出す周波数帯域の幅、すなわち、ＩＦフィルタ９の通過帯域幅は、可変であり、制御部１７で制御される。
【００３３】
ＦＭ復調器１１は、ＩＦフィルタ９が取り出した信号をＦＭ復調信号に復調する。
【００３４】
受信状況検出器１３は、ＦＭ復調器１１が復調したＦＭ復調信号から受信状況を検出する。この検出は、公知の方法で出来る。受信状況は、例えば、電界強度検出値、隣接信号検出値、及び変調度検出値からなる。
【００３５】
受信状況検出器１３は、例えば、電界強度検出値を検出する。電界強度は、例えばＦＭ復調信号の誤り率から検出できる。電界強度検出値は、検出した電界強度の値である。
【００３６】
受信状況検出器１３は、隣接妨害電波を検出する。この隣接妨害電波は、例えばＦＭ復調信号から検出できる。隣接妨害電波の周波数が隣接信号検出値である。
【００３７】
受信状況検出器１３は、ＦＭ復調信号の変調度を検出する。この変調度は、例えばＦＭ復調信号の周波数から検出できる。変調度が変調度検出値である。
【００３８】
ＲＤＳ復調器１５は、ＦＭ復調器１１が復調したＦＭ復調信号からＲＤＳデータを復調するとともに、このＲＤＳデータについて同期処理及びエラー訂正処理をし、処理したデータをＲＤＳデータとして出力する。
【００３９】
ＦＭ処理部１９は、ＦＭ復調器１１が復調したＦＭ復調信号にミュート、ステレオブレンド、ハイカット、及び、ディエンファシス等の各種ＦＭ処理を行う。これらＦＭ処理は、制御部１７により制御される。ＦＭ処理部１９は、ＦＭ復調器１１が復調した信号を音声デジタル信号に変換する音声変換部である。
【００４０】
Ｄ／Ａ２１は、デジタル・アナログ変換器であり、ＦＭ処理部１９が処理したデジタル信号をアナログ信号に変換する。
【００４１】
スピーカ２３は、Ｄ／Ａ２１が変換したアナログ信号を音声として出力する。
【００４２】
入力部２５は、ユーザが聞きたいＦＭ局の周波数を選択するものであり、選択されたＦＭ局の周波数（選局周波数）を制御部１７に渡す。
【００４３】
制御部１７は、選局周波数、受信状況検出器１３が検出した受信状況、及び、ＲＤＳ復調器１５が出力したＲＤＳデータ等を用いて、Ｆ／Ｅ部５の制御とＦＭ処理部１９との制御を行う。
【００４４】
また、制御部１７は、国特定部１７ａと、通過帯域幅制御部１７ｂと、を備え、ＩＦフィルタ９を制御する。国特定部１７ａは、ＲＤＳ復調器１５が出力したＲＤＳデータからＰＩコード（プログラム識別コード）を抽出し、電波の受信位置の国を特定する。通過帯域幅制御部１７ｂは、国特定部１７ａを監視及び制御するとともに、国特定部１７ａが特定した国に応じてＩＦフィルタ９の通過帯域幅を制御する（例えば変化させる）。
【００４５】
ＩＦフィルタ制御装置１は、特定した国に応じてＩＦフィルタ９の通過帯域幅を制御するので、同一周波数で異なる変調度の放送を行っている場合でも、適した通過帯域幅をＩＦフィルタ９に設定できる。これにより、ＩＦフィルタ制御装置１は、歪み等を防止することができる。
【００４６】
例えば、通過帯域幅制御部１７ｂは、公知の方法により、受信状況検出器１３により検出した受信状況に応じて、予め設定された１番目（最小通過帯域幅）からｎ番目（最大通過帯域幅）の中から適した通過帯域幅を選択してＩＦフィルタ９に設定する。通過帯域幅制御部１７ｂは、このときに、国特定部１７ａが特定した国に応じて、通過帯域幅の選択肢を２番目からｎ−１番目等に設定する。つまり、通過帯域幅制御部１７ｂは、国特定部１７ａが特定した国に応じて、選択可能な通過帯域幅を特定してＩＦフィルタ９に設定する。この例のようにして、通過帯域幅制御部１７ｂは、ＩＦフィルタ９の通過帯域幅を制御する。
【００４７】
ＩＦフィルタ制御装置１は、国特定部１７ａが特定した国に応じて、選択可能な通過帯域幅を特定するので、ＩＦフィルタ９の通過帯域幅を広くしすぎたり、狭くしすぎたりすることを緩和する又は防止することができる。これにより、ＩＦフィルタ制御装置１は、歪み等を防止することができる。
【００４８】
ＩＦフィルタ制御装置１のＩＦフィルタ制御処理をより詳細に説明する。図２は、本発明の第一実施形態に係るＩＦフィルタ制御装置１が行うＩＦフィルタ制御処理のフローを示す図である。図３は、本発明の第一実施形態に係るＩＦフィルタ制御装置１が使用する国コード・変調度データテーブルの一例を示す図である。図４は、本発明の第一実施形態に係るＩＦフィルタ制御装置１が使用するモード設定例の一例を示す図である。図５は、本発明の第一実施形態に係るＩＦフィルタ制御装置１が使用する通過帯域幅データテーブルの一例を示す図である。
【００４９】
ＩＦフィルタ制御処理は、例えば、ＩＦフィルタ制御装置１の電源が入ったとき又はアンテナ３が電波を受信したときにスタートする。ＩＦフィルタ制御処理は、例えば、ＩＦフィルタ制御装置１の電源が切られたときに終了する。
【００５０】
通過帯域幅制御部１７ｂは、ＩＦフィルタ９の可動範囲、すなわち、ＩＦフィルタ可動範囲を初期モードに設定する（ステップＳ１０１）。例えば、図４のように、初期モードを２〜ｎとして、設定する。なお、１〜ｎは、それぞれ、１〜ｎ番目の通過帯域幅を決定する番号である。１が最小範囲の通過帯域幅で、ｎが最大範囲の帯域幅である。図５のように、１〜ｎに対応して、通過帯域幅が設定されている。
【００５１】
通過帯域幅制御部１７ｂ及び国特定部１７ａは、受信状況及びＰＩコードを監視する（ステップ１０２）。通過帯域幅制御部１７ｂは、受信状況検出器１３から受信状況を取得する。また、通過帯域幅制御部１７ｂは、国特定部１７ａにＲＤＳデータの取得を命令する。国特定部１７ａは命令を受け取ると、ＲＤＳデータをＲＤＳ復調器１５から取得し、ＲＤＳデータを用いて国の特定を試みる。具体的には、例えば、国特定部１７ａは、ＰＩコードの抽出を試みる。国特定部１７ａは、抽出したＰＩコードに含まれる国コードを抽出する。国コードを抽出すれば、電波の受信位置の国が特定されたことになる。この例のように、国特定部１７ａは、受信位置の国をＩＦフィルタ９がフィルタリングした信号に含まれるデータにより特定する。
【００５２】
通過帯域幅制御部１７ｂは、ＩＦフィルタ９に通過帯域幅を設定する（ステップＳ１０３）。
【００５３】
例えば、通過帯域幅制御部１７ｂは、ステップＳ１０１（又は後述のステップＳ１０７、Ｓ１０８、又はＳ１０９）で設定されたモードに対応する通過帯域幅を通過帯域幅データテーブルから取得し、取得した通過帯域幅の中から受信状況を用いて適した通過帯域幅を公知の方法で選択する。例えば、通過帯域幅制御部１７ｂは、電界強度検出値が所定の基準未満であれば、取得した通過帯域幅の中から所定基準以上の広い通過帯域幅を選択する。例えば、通過帯域幅制御部１７ｂは、取得した通過帯域幅の中から隣接信号検出値を含む一定範囲内の周波数を含まない所定基準未満の狭い通過帯域幅を選択する。例えば、通過帯域幅制御部１７ｂは、取得した通過帯域の中から変調度検出値を含む通過帯域幅を選択する。これら選択の条件（例えば、各条件の優先度等）は、予め設定される。通過帯域幅制御部１７ｂは、選択した通過帯域幅をＩＦフィルタ９に設定する。ＩＦフィルタ９は、設定された通過帯域幅を用いてフィルタリング処理を行う。
【００５４】
例えば、初期モードでは、ＩＦフィルタ可動範囲は、２〜ｎなので、通過帯域幅制御部１７ｂは、通過帯域幅データテーブルの２〜ｎ番目の通過帯域幅の中から受信状況を用いて適した通過帯域幅を選択し、選択した通過帯域幅をＩＦフィルタ９に設定する。
【００５５】
通過帯域幅制御部１７ｂは、受信状況から現在の受信位置が弱電界かどうかを判断する（ステップＳ１０４）。通過帯域幅制御部１７ｂは、弱電界であれば（ステップＳ１０４；ＹＥＳ）、ステップＳ１０９に進み、弱電界でなければ（ステップＳ１０４；ＮＯ）、ステップＳ１０５に進む。例えば、通過帯域幅制御部１７ｂは、受信状況に含まれる電界強度検出値を用い、この電界強度検出値が予め設定された閾値以上であれば（ステップS１０４；ＹＥＳ）、ステップＳ１０９に進み、閾値未満であれば（ステップＳ１０４；ＮＯ）、ステップＳ１０５に進む。受信位置が弱電界となる位置は、例えばトンネル内である。
【００５６】
通過帯域幅制御部１７ｂは、国特定部１７ａを監視し、国特定部１７ａが国を特定したか、例えば、国コードを抽出できたか判断する（ステップＳ１０５）。国特定部１７ａが国コードを抽出できた場合（ステップＳ１０５；ＹＥＳ）、通過帯域幅制御部１７ｂは、国特定部１７ａから国コードを取得して、ステップＳ１０６に進む。国特定部１７ａが国コードを抽出できなかった場合（ステップＳ１０５；ＮＯ）、通過帯域幅制御部１７ｂは、ステップＳ１０１に戻る。なお、国特定部１７ａが国コードを抽出できなかった場合（ステップＳ１０５；ＮＯ）、通過帯域幅制御部１７ｂは、ステップＳ１０２に戻ってもよい。通過帯域幅制御部１７ｂがステップＳ１０１に戻る場合は、ＩＦフィルタ可動範囲が初期モードに設定し直される。また、通過帯域幅制御部１７ｂがステップＳ１０２に戻る場合は、ＩＦフィルタ可動範囲が前回設定されたままのモードで継続されることになる。
【００５７】
通過帯域幅制御部１７ｂは、国特定部１７ａが特定した国が低変調度を採用しているか判断する（ステップＳ１０６）。例えば、通過帯域幅制御部１７ｂは、国特定部１７ａが抽出した国コードをもとに、図３に示す国コード・変調度データテーブルを参照して、その国が低変調度の国か過変調度の国かを判断する。なお、図３では、国コードの欄に国名を直接記載しているが、この欄には、ＰＩコードに含まれ、その国を一意に特定可能な国コードが入る。
【００５８】
イタリア及びスイス等は、ＦＭ放送の変調度として、７５ｋＨｚ．Ｄｅｖｉａｔｉｏｎを採用している。このため、図３のように、イタリア及びスイスの変調度は、過変調度と設定されている。また、ドイツ等は、ＦＭ放送の変調度として、４０ｋＨｚ．Ｄｅｖｉａｔｉｏｎを採用している。このため、図３のように、ドイツの変調度は、低変調度と設定されている。所定の国が採用する変調度が所定基準以上であれば、その国は、過変調度を採用する国である。所定の国が採用する変調度が所定基準未満であれば、その国は、低変調度を採用する国である。
【００５９】
通過帯域幅制御部１７ｂは、国特定部１７ａが特定した国が低変調度を採用している場合（ステップＳ１０６；ＹＥＳ）、ＩＦフィルタ可動範囲を低変調度モードに設定し（ステップＳ１０７）、ステップＳ１０２に戻る。通過帯域幅制御部１７ｂは、国特定部１７ａが特定した国が低変調度を採用していない場合（ステップＳ１０６；ＮＯ）、ＩＦフィルタ可動範囲を過変調度モードに設定し（ステップＳ１０８）、ステップＳ１０２に戻る。
【００６０】
なお、低変調度モードのＩＦフィルタ可動範囲は、例えば図４のように、２〜ｎ−１である。このように、低変調度モードでは、初期モードと比較して通過帯域幅の選択肢が少なくなる。特に、選択肢の上限が低くなる。
【００６１】
また、過変調度モードのＩＦフィルタ可動範囲は、例えば図４のように、３〜ｎである。このように、過変調度モードでは、初期モードと比較して通過帯域幅の選択肢が少なくなる。特に、選択肢の下限が上昇する。
【００６２】
また、通過帯域幅制御部１７ｂは、受信位置が弱電界である場合（ステップＳ１０４；ＹＥＳ）、ＩＦフィルタ可動範囲を弱電界モードに設定し（ステップＳ１０９）、ステップＳ１０２に戻る。弱電界モードのＩＦフィルタ可動範囲は、例えば図４のように、１〜ｎである。このように、弱電界モードでは、初期モード、低変調度モード及び過変調度モードと比較して通過帯域幅の選択肢が多くなる。特に、選択肢の下限が低くなる。この例のように、受信位置における電界強度が所定基準を満たさない場合（例えば電界強度が所定基準を満たさない場合）、他のモード、特に低変調度モード及び過変調度モードに比べて、ＩＦフィルタの通過帯域幅の選択肢を多く設定することにより、ＩＦフィルタ９の通過帯域幅の選択肢を増やし、より適切な通過帯域幅の設定ができる。このようにして、通過帯域幅制御部１７ｂは、受信位置における電界強度に応じてＩＦフィルタ９の通過帯域幅を制御するので、電解強度に応じて適した通過帯域幅をＩＦフィルタ９に設定できる。
【００６３】
Ｆ／Ｅ部５と、Ａ／Ｄ７と、ＩＦフィルタ９と、ＦＭ復調器１１と、受信状況検出器１３と、ＲＤＳ復調器１５と、制御部１７と、ＦＭ処理部１９と、Ｄ／Ａ２１と、は、回路及び又はＩＣ等の一以上の組合せにより構成される。ＩＦフィルタ９と、ＦＭ復調器１１と、受信状況検出器１３と、ＲＤＳ復調器１５と、制御部１７と、ＦＭ処理部１９とのうちの一又は複数の組合せは、一以上のＣＰＵ及び記憶装置によって実現しても良い。
【００６４】
図６は、本発明の第一実施形態に係るＩＦフィルタ制御装置１の制御部１７のハードウェア構成を示す図である。図６のように、制御部１７は、ＣＰＵ（中央演算処理装置）５０、ＲＡＭ（Random Access Memory）５１、及びＲＯＭ（Read Only Memory）５２等により構成される。ＲＯＭ５２には、ＩＦフィルタ制御プログラムと、上記で用いるデータテーブル等の各種データとが格納されている。ＩＦフィルタ制御プログラムは、ＲＡＭ５１に展開される。ＲＡＭ５１には、ＣＰＵ５０の計算領域が設けられる。ＣＰＵ５０は、ＲＡＭ５１に展開されたＩＦフィルタ制御プログラムの指令に従って、ＲＯＭ５２に記録されたデータ及びＲＡＭ５１の計算領域を用いて、上記ＩＦフィルタ制御処理を行う。ＩＦフィルタ制御プログラムは、ネットワークを介したダウンロード又は情報記憶媒体を介したインストール等により、コンピュータ（例えば、ＩＦフィルタ制御装置）の記憶部（例えばハードディスク）に記録され、適宜ＲＡＭ等に展開してもよい。この場合、このコンピュータが上記処理を行う。
【００６５】
上記のように、ＩＦフィルタ制御装置１は、国特定部１７ａが特定した国に応じて、及び、受信位置の電解強度に応じて、複数のモードを選択することができる。このようにして、通過帯域幅の選択範囲を変化させる。このため、ＩＦフィルタ制御装置１は、広くしすぎた又は狭くしすぎた通過帯域幅ＩＦフィルタ９を設定することを回避できる。
【００６６】
上記のように、ＩＦフィルタ制御装置１は、予め設定された複数の通過帯域幅の中から所定基準を満たす一の通過帯域幅を選択し、選択した通過帯域幅をＩＦフィルタ９に設定することでＩＦフィルタ９の通過帯域幅を制御する。また、通過帯域幅制御部１７ｂは、国（例えば国コード等で国を特定したデータも適宜含まれる。もちろん、後述のＧＰＳで特定した位置データにより特定する国特定情報も含まれる。）と複数の通過帯域幅の中で選択可能な通過帯域幅とを対応付けたデータを参照し、国特定部１７ａが特定した国に対応する選択可能な通過帯域幅を特定し、特定した選択可能な通過帯域幅の中から所定基準を満たす一の通過帯域幅を選択し、選択した通過帯域幅をＩＦフィルタ９に設定することでＩＦフィルタ９の通過帯域幅を制御している。これにより、ＩＦフィルタ制御装置１は、広くしすぎた又は狭くしすぎた通過帯域幅をＩＦフィルタ９に設定することを回避できる。
【００６７】
なお、上記例では、国と複数の通過帯域幅の中で選択可能な通過帯域幅とを対応付けたデータは、両者を、モードを介して間接的に対応付けたデータとなっている。国と複数の通過帯域幅の中で選択可能な通過帯域幅とを対応付けたデータは、両者を直接対応付けたデータであっても良い。
【００６８】
通過帯域幅制御部１７ｂは、さらに、受信位置の電界強度が所定基準を満たさない場合の選択可能な通過帯域幅のデータを参照して、選択可能な通過帯域幅を特定している。これにより、ＩＦフィルタ制御装置１は、広くしすぎた又は狭くしすぎた通過帯域幅をＩＦフィルタ９に設定することを回避できる。なお、この例では、受信位置の電界強度が所定基準を満たさない場合の選択可能な通過帯域幅のデータは、選択可能な通過帯域幅をモードを介して間接的に特定しているデータとなっている。このデータは、選択可能な通過帯域幅を直接特定しているデータであっても良い。
【００６９】
（第二実施形態）
図７は、本発明の第二実施形態に係るＩＦフィルタ制御装置のブロック図である。ＩＦフィルタ制御装置１００と、第一実施形態に係るＩＦフィルタ制御装置１と略同様の構成であるが、ＩＦフィルタ制御装置１００は、さらに、ＧＰＳ１２０を備える。さらに、国特定部１１７ａは、受信位置の国をＧＰＳ（グローバル・ポジショニング・システム）によって特定する。このような点以外、制御部１１７は制御部１７に対応し、国特定部１１７ａと通過帯域幅制御部１１７ｂとは、国特定部１７ａと通過帯域幅制御部１７ｂとにそれぞれ対応する。ＩＦフィルタ制御装置１００が行う処理も図２のフローと略同様であるが、下記に相違点のみを記す。なお、ステップの符号は図２の符号をそのまま使用している。
【００７０】
国特定部１１７ａは、図２のステップＳ１０２において、ＰＩコードを監視するかわりに、ＧＰＳを監視する（ステップＳ１０２）。通過帯域幅制御部１１７ｂは、国特定部１１７ａにＧＰＳから受信位置を取得するように命令する。国特定部１１７ａは命令を受け取ると、ＧＰＳから受信位置（位置データ）の取得を試みる。国特定部１１７ａは、受信位置を取得すると、受信位置と、その受信位置が属する国を特定する国特定情報と、の関係を記したテーブルを参照して、取得した受信位置をもとに国特定情報を取得する。
【００７１】
通過帯域幅制御部１１７ｂは、図２のステップＳ１０５において、国特定部１１７ａを監視し、国特定部１１７ａが国を特定したか、例えば、国特定情報を取得できたか判断する。国特定部１１７ａが国特定情報を取得できた場合（図２のステップＳ１０５；ＹＥＳ）、通過帯域幅制御部１１７ｂは、国特定部１１７ａから国特定情報を取得して、ステップＳ１０６に進む。国特定部１１７ａが国特定情報を取得できなかった場合（ステップＳ１０５；ＮＯ）、通過帯域幅制御部１１７ｂは、ステップＳ１０１に戻る。
【００７２】
通過帯域幅制御部１１７ｂは、図２のステップＳ１０６において、国特定部１１７ａが特定した国が低変調度を採用しているか判断する。例えば、通過帯域幅制御部１１７ｂは、国特定部１１７ａが取得した国特定情報をもとに、図３と略同様の国特定情報・変調度データテーブルを参照して、その国が低変調度の国か過変調度の国かを判断する。なお、国特定情報・変調度データテーブルは、図３のデータテーブルの国コードが国特定情報に置き換わったものである。
【００７３】
第二実施形態のその他の説明は、第一実施形態に準じるので、説明を省略する。
【００７４】
（変形例）
上記第一実施形態及び第二実施形態は、ＩＦフィルタ制御装置１又は１００が、受信位置の国に応じてＩＦフィルタ９の通過帯域幅の選択肢を制御して、ＩＦフィルタ９の通過帯域幅を制御する例である。ＩＦフィルタ９の通過帯域幅の制御は、他の方法により行ってもよい。例えば、各国それぞれについて変調度に対応する通過帯域幅を決定しておく。そして、各国と、通過帯域幅と、を対応付けたデータテーブルを作成しておき、ＩＦフィルタ制御装置１又は１００は、受信位置の国を特定すると、特定した国をキーとして、前記データテーブルを参照し、通過帯域幅を取得してＩＦフィルタ９に設定してもよい。このようにして、ＩＦフィルタ制御装置１又は１００は、ＩＦフィルタ９の通過帯域幅の制御を行ってもよい。これによっても、ＩＦフィルタ制御装置１又は１００は、適した通過帯域幅を設定できる。
【００７５】
また、上記第一実施形態及び第二実施形態は、ＩＦフィルタ制御装置１又は１００が、前記受信位置における電界強度に応じて前記ＩＦフィルタの通過帯域幅を制御する例であるが、通過帯域幅を制御する方法は、他の方法により行ってもよい。
【００７６】
また、ＩＦフィルタ制御装置１又は１００は、ＦＭ受信機を例にとって説明したが、アンテナ及びスピーカに接続するＦＭチューナであってもよい。また、データテーブル等の各種データは外部の記憶部に記録してもよい。この場合、ＩＦフィルタ制御装置１又は１００は、外部の記憶部にアクセスしてデータを取得等する。また、ＩＦフィルタ制御装置１又は１００は、他のフィルタ制御装置等であってもよい。
【図面の簡単な説明】
【００７７】
【図１】本発明の第一実施形態に係るＩＦフィルタ制御装置のブロック図である。
【図２】本発明の第一実施形態に係るＩＦフィルタ制御装置が行うＩＦフィルタ制御処理のフローを示す図である。
【図３】本発明の第一実施形態に係るＩＦフィルタ制御装置が使用する国コード・変調度データテーブルの一例を示す図である。
【図４】本発明の第一実施形態に係るＩＦフィルタ制御装置が使用するモード設定例の一例を示す図である。
【図５】本発明の第一実施形態に係るＩＦフィルタ制御装置が使用する通過帯域幅データテーブルの一例を示す図である。
【図６】本発明の第一実施形態に係るＩＦフィルタ制御装置の制御部のハードウェア構成を示す図である。
【図７】本発明の第二実施形態に係るＩＦフィルタ制御装置のブロック図である。
【符号の説明】
【００７８】
３  アンテナ
５  Ｆ／Ｅ部
７  Ａ／Ｄ
９  ＩＦフィルタ
１１  ＦＭ復調器
１３  受信状況検出器
１５  ＲＤＳ復調器
１７  制御部
１９  ＦＭ処理部
２１  Ｄ／Ａ
２３  スピーカ
２５  入力部
１７ａ  国特定部
１７ｂ  通過帯域幅制御部
５０  ＣＰＵ
５１  ＲＡＭ
５２  ＲＯＭ
【図１】
2010136307.tif 000003
【図２】
2010136307.tif 000004
【図３】
2010136307.tif 000005
【図４】
2010136307.tif 000006
【図５】
2010136307.tif 000007
【図６】
2010136307.tif 000008
【図７】
2010136307.tif 000009